(57)【特許請求の範囲】
【請求項１】
壁面に取付け可能な額縁状遺骨・灰収容器具であって、
遺骨・灰を収容する密封された容器と、
前記容器を内部に収容し、前面に開口を有する箱部と、
前記箱部を支持し、固定する本体部と、
組み立てた状態の前記額縁状遺骨・灰収容器具の他の要素を結合し、それを掲示するべく一定の場所に固定するためのベース部と、
前記箱部と前記本体部とを結合するための結合手段とを有し、
前記結合手段が、前記箱部及び前記本体部の何れか一方の上に配置された複数のピンと、前記箱部及び前記本体部のうちの前記ピンの設けられていない方に形成された複数の穴とを含み、
前記複数の穴のそれぞれが、上部に幅の広い部分、下部に幅の狭い部分を有する鍵穴形状を有し、前記ピンのそれぞれが、直径の大きい頭部とともに根元の部分に縮径部を有し、これにより前記上部に幅の広い部分を有する鍵穴形状の穴に取り付けし、係合させることが可能であり、
専用パネルの垂直な壁面上に、前記ベース部を取付け、次に前記額縁状遺骨・灰収容器具の他の要素を取り付けることによって、複数の前記額縁状遺骨・灰収容器具を垂直な壁面上に並べて配置することが可能であることを特徴とする額縁状遺骨・灰収容器具。
【請求項２】
前記本体部が、箱状の形状を有し、その前面に本体部開口を有し、前記本体部開口の周縁部に前記複数の穴が設けられ、前記複数の穴に通した前記箱部の前記ピンの１つを、外部から操作可能なラッチキーによって固定し、これによって前記箱部を前記本体部から取り出すことができないようにできることを特徴とする請求項１に記載の額縁状遺骨・灰収容器具。
【請求項３】
前記本体部が、その裏面に本体部裏面開口を有し、前記本体部裏面開口の周囲には、上部に幅の広い部分、下部に幅の狭い部分を有する鍵穴形状の本体部裏面穴を備えたリブを有することを特徴とし、
前記本体部裏面穴が、対称的な位置に設けられ、前記ベース部が、直径の大きい頭部とともに根元の部分に縮径部を有する形状の円筒形のベース部ピンを備えており、これによって前記本体部を、その前記本体部裏面穴を前記ベース部の前記ベース部ピンに掛けることによって前記ベース部に適切に取り付け、固定することができることを特徴とする請求項１若しくは２に記載の額縁状遺骨・灰収容器具。
【請求項４】
前記ベース部が、前記本体部の裏面と同一の形状を有し、かつ任意の表面上に適切な固定用ボルトで取り付けるためのベース部穴を有し、
前記ベース部が、その上部に配設され、前記本体部が上向きに動いて前記ベース部から外れるのを防止する固定手段として作用する本体部保持のためのプレートを有することを特徴とする請求項３に記載の額縁状遺骨・灰収容器具。
【発明の詳細な説明】
【０００１】
【発明の属する技術分野】
本出願は、火葬された死者・愛玩動物等の遺骨・灰を収容、保存するのに適した額縁状遺骨・灰収容器具であって、取り扱いが容易で、壁面に取付け可能であり、かつ単体で設置するだけでなく、他の同型の額縁状遺骨・灰収容器具とともに、美的な外観を有する集合体として設置できることを特徴とする額縁状遺骨・灰収容器具に関するものである。
【０００２】
【従来の技術】
死者・愛玩動物等が火葬された場合、その遺骨・灰は、その遺骨・灰を１つにした形、若しくは幾つかに分けられた形で、その保存に適した場所に保管される。
【０００３】
そのような遺骨・灰の収容器具は、その特殊な使用目的のために、その管理者は、それが破損しにくいような場所に設置しなければならず、また該容器は、破損しにくく、外力に対する十分な強度を有するものでなければならない。
【０００４】
【発明が解決しようとする課題】
本発明の目的は、破損しにくく取り扱いが容易な、壁面に取付け可能な額縁状遺骨・灰収容器具を提供することである。
【０００５】
本発明の別の目的は、遺骨・灰を収容する容器を、それが破損しにくい安全な場所に容易に設置でき、同時に、必要な場合には、複数の該額縁状遺骨・灰収容器具を正しく並べて設置することが可能で、従ってそれを設置するために必要な空間が最小限で済み、かつ設置時の外観が美観を呈するようにすることができる、額縁状遺骨・灰収容器具を提供することである。
【０００６】
【課題を解決するための手段】
上記目的を達成するために、本発明によれば、壁面に取付け可能な額縁状遺骨・灰収容器具であって、
遺骨・灰を収容する密封された容器をその内部に有する箱部と、
前記箱部を支持し、固定する本体部と、
組み立てた状態の前記額縁状遺骨・灰収容器具の他の要素を結合し、それを掲示するべく一定の場所に固定するためのベース部とを有することを特徴とする額縁状遺骨・灰収容器具が提供される。
【０００７】
【発明の実施の形態】
以下、図面を参照して、本発明の額縁状遺骨・灰収容器具の実施例についてより詳細に説明する。
【０００８】
図面に示す本発明の額縁状遺骨・灰収容器具は、遺骨・灰を適切に収容し保管する密封型要素と、前記密封型要素を支持及び固定するための本体部と、該額縁状遺骨・灰収容器具を壁面の適切な位置に設置・固定するためのベース部とを有する。
【０００９】
遺骨・灰を収容し、外部から隔離する密封型要素は、その前面に好ましくは矩形でガラス等（図示せず）で密封された大きい開口２を有する矩形の箱形状を有する箱部１から形成される。この箱部の内部は、或る厚みを有する４枚の壁部３により形成されており、この壁部が、遺骨・灰を収容する密封された箱状の容器４が配置される空間を画定している。前記容器は、裏面カバー５及び前面の開口２の縁の部分によって固定される。
【００１０】
前記箱部１の後側には、前記箱部１を支持・固定用本体部７に固定できるようにするための円筒形のピン６が設けられる。
【００１１】
これらのピンは、その根元の部分に僅かに縮径した縮径部６ａを有しており、これによって、支持用本体部７の前面９に設けられた鍵穴状の穴８にピンを係合できるようにしている。これらの穴８は、その上部にピン６のヘッド部を入れられる大きい穴の部分を有し、その下部に宿径部６ａが係合する細長い部分８ａを有する鍵穴状の穴である。
【００１２】
支持・固定用本体部７も矩形の形状を有しており、その前面９に矩形の開口１０を有し、該開口に隣接して、遺骨・灰が収められた容器４を含む箱部１を固定するための、上述の穴８が設けられている。
【００１３】
前記箱部１が支持用本体部７内に配置され、固定されているとき、本体部７の前面９の開口１０は完全に覆われ、箱部１は、ピン６に対抗して支持される摺動式ボルト１１によって固定される。これによって、箱部１が上向きに移動して、ピン６が差込まれた穴８から外れることが防止される。
【００１４】
摺動式ボルト１１は、ラッチキー（掛け金の鍵）１２として知られる既存のロック手段によって外部から操作できる。
【００１５】
支持用本体部７の裏面には、前記支持用本体部の上下左右において連続している細いリブ１４に縁取られた、大きい矩形の開口１３が設けられている。前記リブには、その前面９に設けられた穴８と同形の穴１５が対称的な配置で設けられており、この穴１５は、額縁状遺骨・灰収容器具アセンブリの固定用ベース部１６上に、支持用本体部７を配置し、固定することができるように配置される。
【００１６】
この固定用ベース部１６は矩形で、支持用本体部７と裏面のサイズと同じサイズを有し、額縁状遺骨・灰収容器具アセンブリが配置される表面に固定されるボルト、ねじ等を入れるための穴１７が設けられている。
【００１７】
前記ベース部にも、前記箱部１がその裏面に有するピン６と同じ、円筒形のピン１８が設けられる。前記ピン１８は、前記支持用本体部７がその裏面に有する穴１５と整合する位置に設けられ、ピン１８を穴１５に入れることによって、支持用本体部７を固定用ベース部１６に固定することができる。
【００１８】
前記固定用ベース部１６は、額縁状遺骨・灰収容器具アセンブリの内部の表面上の、ベース部１６の上側部分に固定される矩形のプレート１９として設けられる、固定器具として作用する保持要素を有する。
【００１９】
支持用本体部７が、固定用ベース部１６のピン１８上に配置されたとき、固定プレート１９は支持用本体部７のリブ１４の上側縁部に係合するため、支持用本体部が上向きに動いてピン１８から外れるのを防止する。
【００２０】
前記プレート１９は、ねじとナット（１９’）によってベース部１６に結合される。
【００２１】
固定用ベース部１６は、専用取付けパネル２０の表面上に結合することができ、額縁状遺骨・灰収容器具アセンブリの残りの部分及び支持用本体部７が、これに取付け・固定され、その後、箱部１が取付け、固定されて、取り外し不可能なブロックを形成する。このアセンブリは、専用取付けパネルの表面上に密接した形で固定され、例えば、他のアセンブリと並置させ、その支持用本体部７の側面が他のアセンブリの側面と水平方向及び垂直方向に位置が整合する位置関係となるように配置され得る。
【００２２】
図５に示す、複数の額縁状遺骨・灰収容器具を縦横に位置を整合させて配置させる実施例では、専用取付けパネル２０が、側部の脚部２１及び保護及び装飾用傘状部２２を備えている。
【００２３】
図６に示す別の実施例では、複数の壁龕部２４ａが区切り部によって画定されている専用取付けパネル２４の各壁面２３に、額縁状遺骨・灰収容器具が配置されている。前記壁面上に額縁状遺骨・灰収容器具を取付ける際には、初めに、各ベース部１６を選択された領域の上に確実に固定する。
【００２４】
上記の開示内容を要約すると、壁面に取付け可能な額縁状遺骨・灰収容器具アセンブリが、専用取付けパネル２０上又は任意の選択された表面上の所望の位置に取付けられる。取付けの前に、まず固定用ベース部１６のボルト又はねじによってそれを固定し、その裏面の穴１７に、ベース部１６のピン１８を係合させ、支持用本体部７が外れるのを防止する固定プレート１９を取付ける。
【００２５】
その後、箱部１の中に遺骨・灰の容器４を適切に配置し、前記支持用本体部７の前面に設けられた穴８に円筒形ピン６を係合させて、前記箱部１を支持用本体部７に取付けた状態で、ラッチキー１２によって摺動式ボルト１１を動かして円筒形ピン６のなかの１個を固定し、箱部１が抜けないようにする。
【００２６】
前記額縁状遺骨・灰収容器具のサイズは、遺骨・灰の量に応じて変更できるのは明らかである。
【００２７】
また、必要ならば、アセンブリに装飾を施したり、例えば前面開口２の下に写真等を配置することもできる。また花等を添えるための支持要素を、支持用本体部７に設けることもできる。
【００２８】
【発明の効果】
上記のように、本発明により、破損しにくく取り扱いが容易な、壁面に取付け可能な額縁状遺骨・灰収容器具が提供される。
【００２９】
また、本発明により、遺骨・灰を収容する容器を、それが破損しにくい安全な場所に容易に設置でき、同時に、必要な場合には、複数の該額縁状遺骨・灰収容器具を正しく並べて設置することが可能で、従ってそれを設置するために必要な空間が最小限で済み、かつ設置時の外観が美観を呈するようにすることができる、額縁状遺骨・灰収容器具が提供される。
【図面の簡単な説明】
【図１】本発明の額縁状遺骨・灰収容器具の分解組立斜視図である。
【図２】本発明の額縁状遺骨・灰収容器具の側断面図であって、各要素を分解した状態で示す図である。
【図３】本発明の額縁状遺骨・灰収容器具を一部切欠いた状態で示す斜視図である。
【図４】本発明の額縁状遺骨・灰収容器具の取り付けられた状態を示す部分側断面図である。
【図５】本発明の額縁状遺骨・灰収容器具の実際の使用状態の一例を示す斜視図であって、支持要素の上に複数の額縁状遺骨・灰収容器具が整列する形で並置されているところが示されている。
【図６】本発明の額縁状遺骨・灰収容器具の別の使用状態の一例を示す斜視図であって、壁面に本発明の額縁状遺骨・灰収容器具が並置されているところが示されている。
【符号の説明】
１  箱部
２  開口
３  壁部
４  容器
５  裏面カバー
６  ピン
６ａ  （ピンの）縮径部
７  本体部
８  鍵穴状の穴
８ａ  （鍵穴状の穴の）細長い部分
９  （本体部の）前面
１０  開口
１１  摺動式ボルト
１２  ラッチキー
１３  開口
１４  リブ
１５  鍵穴状の穴
１６  ベース部
１７  穴
１８  ピン
１９  プレート
１９’  ねじ及びナット
２０  専用取付けパネル
２１  （取付けパネルの）脚部
２２  （取付けパネルの）装飾用傘状部
２３  （取付けパネルの）壁面
２４  専用取付けパネル
２４ａ  壁龕部
【図１】
0004672106.tif 000002
【図２】
0004672106.tif 000003
【図３】
0004672106.tif 000004
【図４】
0004672106.tif 000005
【図５】
0004672106.tif 000006
【図６】
0004672106.tif 000007